(57)【特許請求の範囲】
【請求項１】
濡れた傘を挿入する筒体と、当該筒体の内側に有し傘に付着した水滴を吸収する複数の突起と、前記突起を前記筒体の同一軸方向にスライドさせる動力部とを有する傘除水器。
【請求項２】
前記突起は、前記筒体内側の円周方向に複数有することを特徴とする請求項１に記載の傘除水機。
【請求項３】
前記突起は、前記筒体内側の同一軸方向に複数有することを特徴とする請求項１又は２に記載の傘除水機。
【請求項４】
前記傘除水機は、前記筒体内側の同一軸方向に有する１又は複数の突起を固定する突起固定部を円周方向に複数有し、前記動力部は前記突起固定部を同一軸方向にスライドさせることを特徴とする請求項３記載の傘除水機。
【請求項５】
前記動力部は、前記突起固定部の一部を他と反対方向にそれぞれ同一軸方向にスライドさせることを特徴とする請求項４記載の傘除水機。
【請求項６】
前記突起固定部は前記筒体内側に偶数個有し、前記動力部は隣接する前記突起固定部を反対方向にそれぞれ同一軸方向にスライドさせることを特徴とする請求項４記載の傘除水機。
【請求項７】
前記動力部は、前記突起固定部を同一軸方向にスライド可能に保持する保持部と、前記突起固定部を同一軸方向にスライドさせるモータとを有することを特徴とする請求項４〜６の何れかに記載の傘除水機。
【請求項８】
前記動力部は、前記突起固定部を同一軸方向にスライド可能に保持する保持部と、前記突起固定部に有するラックと、前記ラックに嵌合するピニオンギアと、前記ピニオンギアを回転させるモータとを有することを特徴とする請求項４〜６の何れかに記載の傘除水機。
【請求項９】
前記動力部は、前記突起固定部を同一軸方向にスライド可能に保持する保持部と、前記突起固定部の下部に接し当該突起固定部と接する面が凹凸状の円筒状カムと、前記突起固定部を前記円筒状カムに付勢する付勢手段と、前記円筒状カムを回転させるモータとを有することを特徴とする請求項４〜６の何れかに記載の傘除水機。
【請求項１０】
前記突起は複数の穴を有し、当該穴から水滴を吸引する吸引する吸引手段を有することを特徴とする請求項１〜９の何れかに記載の傘除水機。
【請求項１１】
当該突起を覆い吸水性を有する吸水体を有することを特徴とする請求項１〜１０の何れかに記載の傘除水器。
【発明の詳細な説明】
【０００１】
【発明の属する技術分野】
本発明は濡れた傘を除水する傘除水機に関する。
【０００２】
【従来の技術】
従来、傘に付着した水滴の除水方法としては、濡れた傘を挿入する筒体と、当該筒体内側を覆い傘に付着した水滴を効率よく吸い取る吸水体と、当該吸水体で吸い取った水滴を吸引する吸引手段によって構成されていた。
【０００３】
【発明が解決しようとする課題】
しかし、従来の傘除水機では、吸水体が傘に付着した水滴を吸い取るのは、吸水体と傘が接触している部分だけである。従って、吸水体に接触している部分に付着した水滴は吸い取るが、接触していない部分、つまり傘のヒダとヒダに挟まれた部分は閉じた状態で吸水体に接触しないため、結果として十分な吸水性能を発揮することができない。
【０００４】
そこで本発明はかかる問題に鑑み、吸水体により傘に付着した水滴を吸い取り除水する傘除水機において、傘を挿入するだけで高い吸水効果を得ることができる傘除水機を提供することを目的とする。
【０００５】
【課題を解決するための手段】
かかる目的を達成するために、本発明の傘除水機は、濡れた傘を挿入する筒体と、当該筒体の内側に有し傘に付着した水滴を吸収する複数の突起と、前記突起を前記筒体の同一軸方向にスライドさせる動力部とを有することとする。
【０００７】
この場合、前記突起は、前記筒体内側の円周方向に複数有することが望ましく、また、前記筒体内側の同一軸方向に複数有することが望ましい。
【０００８】
また、前記傘除水機は、前記筒体内側の同一軸方向に有する１又は複数の突起を固定する突起固定部を円周方向に複数有し、前記動力部は前記突起固定部を同一軸方向にスライドさせることが望ましい。
【０００９】
この場合、前記動力部は、前記突起固定部の一部を他と反対方向にそれぞれ同一軸方向にスライドさせることが望ましく、更に、前記突起固定部は前記筒体内側に偶数個有し、前記動力部は隣接する前記突起固定部を反対方向にそれぞれ同一軸方向にスライドさせることが望ましい。
【００１０】
また、前記動力部は、前記突起固定部を同一軸方向にスライド可能に保持する保持部と、前記突起固定部を同一軸方向にスライドさせるモータとを有することが望ましい。
【００１１】
この場合、前記動力部は、前記突起固定部を同一軸方向にスライド可能に保持する保持部と、前記突起固定部に有するラックと、前記ラックに嵌合するピニオンギアと、前記ピニオンギアを回転させるモータとを有することが望ましい。
【００１２】
また、前記動力部は、前記突起固定部を同一軸方向にスライド可能に保持する保持部と、前記突起固定部の下部に接し当該突起固定部と接する面が凹凸状の円筒状カムと、前記突起固定部を前記円筒状カムに付勢する付勢手段と、前記円筒状カムを回転させるモータとを有することが望ましい。
【００１３】
一方、前記突起は複数の穴を有し、当該穴から水滴を吸引する吸引する吸引手段を有することが望ましく、更に、当該突起を覆い吸水性を有する吸水体を有することが望ましい。
【００１４】
【発明の実施の形態】
次に本発明にかかる基本の実施の形態について図面を参照して説明する。図９に示すように本発明にかかる基本の実施の形態は、濡れた傘を挿入する筒体１と、傘のヒダに潜り込んで傘に付着した水滴を吸い取る為の突起部２と、この突起部に覆われて傘に付着した水滴を効率よく吸い取る吸水体３によって構成されている。
【００１５】
この突起部２は、一般には、同一円周上に傘のヒダ数と同数設けられており、この突起部２が同一軸方向に長く設けられ、または同一軸方向に複数段設けられることで傘に付着した水滴を吸い取るようになっている。
【００１６】
次に傘の除水手順を説明する。まず濡れた傘を筒体１の上部から挿入する。すると、傘のヒダは突起部２によりそれぞれ分離され、傘のヒダとヒダの間にそれぞれ突起部２が挿入され、突起部２を覆う吸水体３が傘のヒダに密着する。
【００１７】
これにより傘に付着した水滴は吸水体３から吸い取られ、傘を除水することが可能となる。
【００１８】
さらに、このような傘除水機にあっては傘を筒体１の上部から挿入しその後傘を抜き取る動作を行うが、この動作は傘に付着した水滴は吸水体３によって拭き取られるよう作用するため、より一層吸水性能が向上するというものである。
【００１９】
また、本発明にかかる基本の他の傘除水方法として図１０に示すような傘除水機がある。この傘除水機の基本構造は図９に示す傘除水機と同じであるが、ここでは、突起部２に空洞１６を設け、吸水体３で吸水した水滴を吸引手段１７で吸い出す構成としている。この構成により、吸水体３は吸水能力が飽和状態とならず、常に傘に付着した水滴を吸い取ることができ、また吸水能力の向上にも繋がるものである。
【００２０】
次に本発明にかかる実施の形態について図面を参照して説明する。
【００２１】
図１は本発明にかかる傘除水機の縦断面の模式図を、図２は横断面の模式図をそれぞれ示している。図に示すように本発明の傘除水機は、傘を挿入する筒体１と、筒体１の内側の同一円周上に８つ備え、これを円筒軸方向（以下実施例では「上下方向」とする。）に４段備える突起部２と、それぞれの突起部２を覆う吸水性を有する吸水体３と、上下方向の突起部２を一体として固定し背面にラック５を有する８個の突起固定部４と、それぞれの突起固定部４のラックに噛み合う８個のピニオンギア６と、それぞれのピニオンギア６を回転する８個のモータ７を備えている。なお、１つの突起固定部４に固定される突起部２，吸水体３及びピニオンギア６，モータ７をそれぞれ１グループとし、円筒円周方向にＡ〜Ｈとする。
【００２２】
また、各突起固定部４と筒体１の関係は図３に示すように、筒体１に、突起固定部を上下方向にスライド可能に保持する保持部８が設けられている。さらに、突起固定部４とモータ７の関係は図４に示すように、突起固定部４の背面にはラック５が、モータ７の回転軸にはピニオンギア６がそれぞれ設けられており、このラック５とピニオンギア７が噛み合うことにより、モータ７の回転を突起固定部４の上下運動に変換するようになっている。
【００２３】
なお、モータ７は隣接し合うモータ７とは逆回転するように制御されており、例えばＡ・Ｃ・Ｅ・Ｇのモータ７がピニオンギア６を上向きに回転させると、Ｂ・Ｄ・Ｆ・Ｈのモータ７はピニオンギア６を下向きに回転させるように制御するように設定されている。
【００２４】
次に本発明の傘除水機の動作について説明する。
【００２５】
まず濡れた傘を筒体１に挿入すると、傘のヒダがそれぞれ突起部２Ａ〜Ｈによって分離され、各傘のヒダが突起部２Ａ〜Ｈを覆っている吸水体３に密着する。
【００２６】
そして、傘を筒体１奥部に挿入していくに伴い傘に付着した水滴が吸水体３によって吸い取られると共に拭き取られる。つまり、この状態では吸水体３の吸水能力による吸水と、吸水体３と傘との擦り合わせによる拭き取りが同時に行われる。
【００２７】
その後、傘が筒体１の最奥部に達すると、図示しないスイッチがＯＮになり、モータ７が動作を開始する。
【００２８】
モータ７は上述したように隣接し合うモータ７とは逆回転するように制御されているため、第１段階としてＡ・Ｃ・Ｅ・Ｇのモータ７はピニオンギア６を上向きに回転させ、Ｂ・Ｄ・Ｆ・Ｈのモータ７はピニオンギア６を下向きに回転させる。すると、このピニオンギア６の回転によりラック５が上下に動かされるため、Ａ・Ｃ・Ｅ・Ｇの突起固定部４は上方向にスライドし、一方Ｂ・Ｄ・Ｆ・Ｈの突起固定部４は下方向にスライドする。この突起固定部４のスライドに伴い、突起部２を覆っている吸水体３と傘との擦り合わせられ、傘に付着した水滴が拭き取られる。当然ながら吸水体３自身の吸水能力による吸水も同時に行っている。
【００２９】
また、上述のように突起部２を覆っている吸水体３は隣接し合う吸水体と逆方向に移動しているため、傘との摩擦抵抗がそれぞれ上下方向で相殺され、傘が筒体１の上方向に抜け出ることがない。従って。傘を乾燥させたい者は、濡れた傘を傘乾燥装置の筒体１内に挿入したのちは、傘が乾燥するまでの間傘を手から放しても傘の挿入状態が維持されたままで傘を乾燥させることができる。
【００３０】
その後、突起固定部４のスライドが所定距離に達すると、第２段階としてモータ７は逆回転を始める。この所定距離は、例えば何らかのセンサにより検出しても、保持部８にスライド制限を設けて制限に達したときの負荷を基に検出しても、時間または回転数により制御を行ってもよい。
【００３１】
第２段階が始まると、モータ７は逆回転し、Ａ・Ｃ・Ｅ・Ｇのモータ７はピニオンギア６を下向きに回転させ、Ｂ・Ｄ・Ｆ・Ｈのモータ７はピニオンギア６を上向きに回転させる。すると、このピニオンギア６の回転によりラック５が上下に動かされ、Ａ・Ｃ・Ｅ・Ｇの突起固定部４は下方向にスライドし、一方Ｂ・Ｄ・Ｆ・Ｈの突起固定部４は上方向にスライドする。この突起固定部４のスライドに伴い、上述と同様に傘との擦り合わせによる傘に付着した水滴の拭き取りが行われる。
【００３２】
その後、再度突起固定部４のスライドが所定距離に達すると、第１段階、第２段階を繰り返し行い、設定された段階数又は時間に達するとモータ７は回転を停止する。この設定する段階数又は時間は、予め実験等により傘に付着した水滴を所望量吸い取り及び拭き取りできるまでの回数又は時間を測定しておき、この回数又は時間を設定するのが望ましい。
【００３３】
なお、この設定段階数又は時間を設けず、傘の挿入者が自分の意志でモータ７の回転及び停止を操作することにより行うこともでき、適宜使用状況に応じて対応することができる。
【００３４】
モータ７が停止すると、図示しないアラームを発することにより、傘の挿入者に対して傘が乾燥したので取り出して良い旨を通知する。
【００３５】
以上は突起固定部４の背面にラック５を設けた例で説明したが、図５に示すように突起固定部４の内側をくり抜き、くり抜いた内側にラック５を設けた突起固定部４を使用する例も考えられる。
【００３６】
背面にラック５を設けるとモータ７の設置方向が突起部２に対して直角方向になるのに対して、くり抜いた内側にラック５を設けるとモータ７の設置方向が突起部２に対して同一方向になり、構造上種々の特性が変わってくるため、ラックの取付位置を変更することにより、自由度の高い設計を行うことができ、様々な要求に応じた傘除水機を設計することができる。
【００３７】
更に、図６に示すように、ヘリカルギア９・プーリー１０・ベルト１１等を組み合わせることにより、突起固定部４を上記と同様にスライドすることが可能になるため、モータ７の数を減らすことができ、動力の単一化による制御の精密化やコストダウンを図ることができる。
【００３８】
次に第２の実施の形態について図面を参照して説明する。
【００３９】
図７は、本発明にかかる傘除水機であるが、細部の構成を図示すると複雑になるために重要な部分のみを模式的に示しており、上半分は縦断面図を、下半分は透視図を示している。
【００４０】
図に示すように、第２の傘除水機は、第１の傘除水機と同様に、傘を挿入する筒体１と、筒体１の内側の同一円周上に８つ備え、これを上下方向に４段備える突起部２と、それぞれの突起部２を覆う吸水性を有する吸水体３と、上下方向の突起部２を一体として固定し背面にラック５を有する８個の突起固定部４とを備え、突起固定部４は図３に示すように、筒体１に、突起固定部を上下方向にスライド可能に保持する保持部８が設けられている。
【００４１】
第２の傘除水機はその他に、８個の突起固定部４の下部に４個の凸部と４個の凹部が交互に連なった上面と歯が刻まれた下面を有する円筒カム１２と、突起固定部４と円筒カム１２の間に備えられ円筒カム１２をスムーズに回転させるためのローラ１３と、突起固定部４が円筒カム１２の上面の凹凸に確実に追随するように突起固定部４を付勢する付勢手段１４と、円筒カム１２の下面の歯に噛み合うギア１５と、このギア１５を回転させるモータ７とを備えている。
【００４２】
また、第１の傘除水機と同様に、１つの突起固定部４に固定される突起部２，吸水体３、ローラ１３及び付勢手段１４をそれぞれ１グループとし、Ａ〜Ｈとする。
【００４３】
次に第２の傘除水機の動作について説明する。
【００４４】
まず濡れた傘を筒体１に挿入すると、第１の傘除水機と同様に、傘のヒダがそれぞれ突起部２Ａ〜Ｈによって分離され、各傘のヒダが突起部２Ａ〜Ｈを覆っている吸水体３に密着する。
【００４５】
そして、傘を筒体１奥部に挿入していくに伴い傘に付着した水滴が吸水体３によって吸い取られると共に拭き取られる。つまり、この状態では吸水体３の吸水能力による吸水と、吸水体３と傘との擦り合わせによる拭き取りが同時に行われている。
【００４６】
その後傘が筒体１の最奥部に達すると、図示しないスイッチがＯＮになり、モータ７が動作を開始する。
【００４７】
すると、モータ７の回転はギア１５から円筒カム１２の下面に設けられた歯に伝達され、これにより円筒カム１２が回転する。この円筒カム１２の回転に伴い、ローラ１３及び突起固定部４は円筒カム１２上面の凹凸に追随してそれぞれ上下にスライドする。このとき円筒カム１２の上面は４の凸部と４の凹部が交互に連なった形状となっているため、互いに隣接する突起固定部４はそれぞれ逆方向に上下するようにスライドすることになる。
【００４８】
具体的に説明すると、ある時点において、Ａ・Ｃ・Ｅ・Ｇの突起固定部４の下部にある円筒カム１２の上面が凹部から凸部に変化している状態であるとすると、Ｂ・Ｄ・Ｆ・Ｈの突起固定部４の下部にある円筒カム１２の上面は凸部から凹部に変化している状態であるため、Ａ・Ｃ・Ｅ・Ｇの突起固定部４は上方向にスライドし、Ｂ・Ｄ・Ｆ・Ｈの突起固定部４は下方向にスライドする。その後、Ａ・Ｃ・Ｅ・Ｇの突起固定部４の下部にある円筒カム１２の上面が凸部から凹部に変化し、Ｂ・Ｄ・Ｆ・Ｈの突起固定部４の下部にある円筒カム１２の上面が凹部から凸部に変化するため、Ａ・Ｃ・Ｅ・Ｇの突起固定部４は下方向にスライドし、Ｂ・Ｄ・Ｆ・Ｈの突起固定部４は上方向にスライドする。
【００４９】
この突起固定部４のスライドに伴い、突起部２を覆っている吸水体３は傘と擦り合わせられるため、この擦り合わせにより傘に付着した水滴が吸水体３によって拭き取られる。
【００５０】
また、上述のように突起部２を覆っている吸水体３は隣接し合う吸水体と逆方向に移動しているため、傘との摩擦抵抗がそれぞれ上下方向で相殺され、傘が筒体１の上方向に抜け出ることがない。従って。傘を乾燥させたい者は、濡れた傘を傘乾燥装置の筒体１内に挿入したのちは、傘が乾燥するまでの間傘を手から放しても傘の挿入状態が維持されたままで傘を乾燥させることができる。
【００５１】
その後、円筒カム１２の回転が設定された回転数に又は時間に達すると、モータ７が回転を停止する。この設定回転数又は時間は、予め実験等により傘に付着した水滴を所望量吸い取り及び拭き取りできるまでの回転数又は時間を測定しておき、この回数又は時間を設定するのが望ましい。
【００５２】
なお、この設定段階数又は時間を設けず、傘の挿入者が自分の意志でモータ７の回転及び停止を操作することにより行うこともでき、適宜使用状況に応じて対応することができる。
【００５３】
モータ７が停止すると、図示しないアラームを発することにより、傘の挿入者に対して傘が乾燥したので取り出して良い旨を通知する。
【００５４】
以上は円筒カム１２の下面に歯を刻むことによりモータ７の回転を円筒カム１２に伝達させていたが、図８に示すように、円筒カム１２の側面に歯を刻むことによりモータ７の回転を円筒カム１２に伝達させることも考えられる。
【００５５】
円筒カム１２の側面に歯を刻むと、モータ７の設置方向が円筒カム１２の円筒軸方向にすることができるため、自由度の高い設計を行うことができ、様々な要求に応じた傘除水機を設計することができる。
【００５６】
さらに、以上は付勢手段１４を突起固定部４の上部に設けて突起固定部４を圧縮する方向に作用させているが、これを突起固定部４の下部に設けて突起固定部４を引っ張る方向に作用させてもよく、同様の作用効果を得られるため、更に自由度の高い設計を行うことができる。
【００５７】
次に第３の実施の形態について説明する。
【００５８】
第３の傘除水機は、上述した本発明の第１の傘除水機又は第２の傘除水機に、図１０に示すような構成を、つまり突起部２に空洞１６を設け、吸水体３で吸水した水滴をモータで吸引する吸引手段１７を設けたものであり、第３の傘除水機の動作は、上述した第１及び第２の傘除水機の動作、及び従来の図１０に示す傘除水機の動作と同様である。
【００５９】
このように第１の傘除水機又は第２の傘除水機の突起部２に空洞１６を設けて吸引することで、吸水体３から吸水した水滴は当該空洞１６を伝って吸引手段１７で吸引されるため、吸水体３の吸水能力低下を抑制でき、常に傘から水滴を吸収することができるようになる。
【００６０】
以上、第１、第２及び第３の傘除水機の説明するにあたっては、より平易に説明するためギア構成を単純にして説明したが、実際の傘除水機では種々の要求等に応じて適宜ギア構成を変更することや、モータの数を低減するために様々なギアやモータ等を組み合わせることは、も当業者が設計に応じて適宜変更する事項であるため、これらギア等の構成を変更しても本発明の本質的部分を異にするものではない。
【００６１】
【発明の効果】
以上説明したように、本発明によれば、傘に付着した水滴を吸収体により吸収する傘除水機において、傘のヒダは突起部によりそれぞれ分離され、傘のヒダとヒダの間にそれぞれ突起部が挿入されるため、突起部を覆う吸水体が傘のヒダに密着し、これにより傘のヒダとヒダの間に付着した水滴も吸水体から吸い取られ、傘を除水することができる。
【００６２】
さらに、このような傘除水機にあっては傘を筒体の上部から挿入しその後傘を抜き取る動作を行うが、この動作は傘に付着した水滴は吸水体によって拭き取られるよう作用するため、より一層吸水性能が向上するというものである。
【００６３】
また、突起部に空洞を設け、吸水体で吸水した水滴を吸引手段で吸い出す構成とすることで、吸水体の吸水能力が飽和状態とならず、常に傘に付着した水滴を吸い取ることができ、また吸水能力を向上することができる。
【００６４】
さらに、この吸水体を上下させることにより吸水体自体の吸水能力に加えて、人の手を介さず吸水体と傘の擦り合わせによる拭き取りを行うことができ、傘を挿入するだけで高い吸水効果を得ることができる。
【００６５】
この場合、傘除水機の筒体内側に、傘のヒダを分離してそのヒダ間に挿入する突起を設け、この突起に吸水体を設けることで、吸収体と傘のヒダがより密着するため、より高い吸水効果を得ることができる。
【００６６】
さらに、この吸水体が設けてある突起を筒体の同一軸方向に複数設けることで、吸水体と傘のヒダとの密着性を向上させ、また、吸収体と傘のヒダとの摩擦抵抗を低減し、当該摩擦抵抗による傘のダメージを低減することができる。
【００６７】
また、筒体内側の同一軸方向の突起を１グループとして突起固定部に固定し、この突起固定部を同一軸方向にスライドさせることで、同一軸方向の吸水体を一体として同一軸方向にスライドさせることができ、傘に付着した水滴を効率よく拭き取ることができ、突起固定部のスライド制御を簡易にすることができる。
【００６８】
この場合、この突起固定部を全部同一方向にスライドさせるのではなく、それぞれ交互にスライドさせることで、傘との摩擦抵抗がそれぞれ相殺され、傘が筒体から抜け出ることがなくなる。従って傘を乾燥させたい者は、濡れた傘を傘乾燥装置の筒体内に挿入したのちは、傘が乾燥するまでの間傘を手から放しても傘の挿入状態が維持されたままで傘を乾燥させることができる。
【００６９】
さらに、突起固定部は偶数とすることで、挿入した傘に対する円筒軸方向にかかる摩擦抵抗がより確実に相殺することができる。
【００７０】
また、この上下運動を、モータの回転力を突起固定部に設けたラックにピニオンギアを介して伝達することにより行うことで、モータの回転力を突起固定部の円筒軸方向のスライド運動に変換することができ、また、上面が凹凸状の円筒カムを突起固定部に接し、この円筒カムをモータで回転させることでも、同様にモータの回転力を突起固定部のスライド運動に変換することができるため、本発明の効果をより具体的に実現することが可能となる。
【００７１】
なお、後者の場合、円筒カムの凹凸の幅は直接突起固定部のスライド幅になるため、この凹凸の数を突起固定部の数と同一にして突起固定部をスライドしたい幅に凹凸の幅を持たせることで、突起固定部のスライド制御を容易にすることができる。
【００７２】
さらに、突起から吸水した水滴を当該突起から吸引する吸引手段を設けることにより、吸水体の吸水能力低下が抑制され、常に傘から水滴を吸収できる。
【００７３】
なお、当該突起を覆い吸水性を有する吸水体を突起部に覆うことで、より確実的に傘に付着した水滴を吸い取ることができる。
【図面の簡単な説明】
【図１】本発明にかかる第１の傘除水機の縦断面図。
【図２】本発明にかかる第１の傘除水機の横断面図。
【図３】突起固定部４と筒体１の関係を示した図。
【図４】突起固定部４からモータ７までの関係を示した図。
【図５】突起固定部４にラックを設ける一例を示した図。
【図６】ベルトを用いて突起固定部を上下運動させる場合の突起固定部４からモータ７までの関係を示した図。
【図７】本発明にかかる第２の傘除水機を示した模式図。
【図８】本発明にかかる第２の傘除水機を示した模式図。
【図９】本発明にかかる基本の傘除水機を示した図。
【図１０】本発明にかかる基本の傘除水機を示した図。
【符号の説明】
１  筒体
２  突起部
３  吸水体
４  突起固定部
５  ラック
６  ピニオンギア
７  モータ
８  保持部
９  ヘリカルギア
１０  プーリー
１１  ベルト
１２  円筒カム
１３  ローラ
１４  付勢手段
１５  ギア
１６  空洞
１７  吸引手段
【図１】
0003616600.tif 000002
【図２】
0003616600.tif 000003
【図３】
0003616600.tif 000004
【図４】
0003616600.tif 000005
【図５】
0003616600.tif 000006
【図６】
0003616600.tif 000007
【図７】
0003616600.tif 000008
【図８】
0003616600.tif 000009
【図９】
0003616600.tif 000010
【図１０】
0003616600.tif 000011